(57)【要約】【課題】記録材料が折れたり、傷が付いたりすることがなく、集積可能である。【解決手段】画像が記録されたシート状の記録材料Ｐを装置本体２の記録材料排出口１０から搬送力により押し出し、下方に配置された記録材料集積部２０に落下させる画像記録装置において、記録材料集積部２０は、落下する記録材料Ｐが斜め状態で積層可能な斜面２０ａを有する。【選択図】図３
2004168438.tif 000002
【特許請求の範囲】
【請求項１】
画像が記録されたシート状の記録材料を装置本体の記録材料排出口から搬送力により押し出し、下方に配置された記録材料集積部に落下させる画像記録装置において、
前記記録材料集積部は、前記落下する記録材料が斜め状態で積層可能な斜面を有することを特徴とする画像記録装置。
【請求項２】
前記記録材料集積部は、斜面が排出される記録材料の先端を誘導する形状であることを特徴とする請求項１に記載の画像記録装置。
【請求項３】
前記記録材料集積部は、斜面下部に先端にストッパーを有する凹状曲面部が一体形成されてなることを特徴とする請求項１または請求項２に記載の画像記録装置。
【請求項４】
前記記録材料集積部は、屈曲可能な部材にて設置スペースに応じて変形可能に構成したことを特徴とする請求項３に記載の画像記録装置。
【請求項５】
前記記録材料集積部は、斜面下部に先端にストッパーを有する直線状斜面部が一体形成されてなることを特徴とする請求項１または請求項２に記載の画像記録装置。
【請求項６】
前記記録材料排出口と前記記録材料集積部の斜面との間に段差を設けたことを特徴とする請求項１乃至請求項５のいずれか１項に記載の画像記録装置。
【請求項７】
前記段差は、前記記録材料集積部の上部の斜面と、この斜面から上方の前記記録材料排出口の位置に延びるガイド部との間で構成したことを特徴とする請求項６に記載の画像記録装置。
【請求項８】
前記段差は、４０ｍｍ以下であることを特徴とする請求項５または請求項７に記載の画像記録装置。
【発明の詳細な説明】
【０００１】
【発明の属する技術分野】
この発明は、シート状の記録材料に画像を記録する画像記録装置に関する。
【０００２】
【従来の技術】
このような記録材料上に画像を記録する画像記録装置として、例えばロール状の記録材料を所定長さ引き出し、所定長さにカットして搬送手段により給紙して記録材料をドラムの周面に保持し、記録ヘッドをドラム軸方向に移動して記録材料上に画像を記録するものがある。
【０００３】
このようにして画像が記録されたシート状の記録材料は、装置本体の記録材料排出口から搬送力により押し出され、下方に配置された記録材料集積部に落下させて集めている（例えば特許文献１）。
【０００４】
【特許文献１】
特開平８−２０８１０６号公報（第１〜１０頁、図１〜図３、図６〜図９）
【０００５】
【発明が解決しようとする課題】
ところで、従来、箱型形状の記録材料集積部で画像形成された記録材料の集積を行っていたため、記録材料の体積により記録材料の型癖が発生していた。また、記録材料を連続出力する時、記録材料の集積可能枚数を増やすには記録材料集積部を大きくする以外の手段が無かった。
【０００６】
この発明は、以上のような問題点に鑑みてなされたもので、記録材料が折れたり、傷が付いたりすることがなく、集積可能な画像記録装置を提供することを目的としている。
【０００７】
【課題を解決するための手段】
前記課題を解決し、かつ目的を達成するために、この発明は、以下のように構成した。
【０００８】
請求項１に記載の発明は、画像が記録されたシート状の記録材料を装置本体の記録材料排出口から搬送力により押し出し、下方に配置された記録材料集積部に落下させる画像記録装置において、
前記記録材料集積部は、前記落下する記録材料が斜め状態で積層可能な斜面を有することを特徴とする画像記録装置である。
【０００９】
この請求項１に記載の発明によれば、記録材料集積部が落下する記録材料を斜め状態で積層可能な斜面を有することで、記録材料が折れたり、傷が付いたりすることがなく、集積することができる。
【００１０】
請求項２に記載の発明は、前記記録材料集積部は、斜面が排出される記録材料の先端を誘導する形状であることを特徴とする請求項１に記載の画像記録装置である。
【００１１】
この請求項２に記載の発明によれば、記録材料集積部は、斜面が排出される記録材料の先端を誘導する形状であり、記録材料が折れたり、傷が付いたりすることがなく、集積することができる。
【００１２】
請求項３に記載の発明は、前記記録材料集積部は、斜面下部に先端にストッパーを有する凹状曲面部が一体形成されてなることを特徴とする請求項１または請求項２に記載の画像記録装置である。
【００１３】
この請求項３に記載の発明によれば、記録材料集積部は、斜面下部に先端にストッパーを有する凹状曲面部が一体形成されてなることで、記録材料が記録材料集積部から外れることなく、整列させて集積することができる。
【００１４】
請求項４に記載の発明は、前記記録材料集積部は、屈曲可能な部材にて設置スペースに応じて変形可能に構成したことを特徴とする請求項３に記載の画像記録装置である。
【００１５】
この請求項４に記載の発明によれば、記録材料集積部の設置スペースを任意に変更することができる。
【００１６】
請求項５に記載の発明は、前記記録材料集積部は、斜面下部に先端にストッパーを有する直線状斜面部が一体形成されてなることを特徴とする請求項１または請求項２に記載の画像記録装置である。
【００１７】
この請求項５に記載の発明によれば、記録材料集積部は、斜面下部に先端にストッパーを有する直線状斜面部が一体形成されてなることで、記録材料が記録材料集積部から外れることなく、整列させて集積することができる。
【００１８】
請求項６に記載の発明は、前記記録材料排出口と前記記録材料集積部の斜面との間に段差を設けたことを特徴とする請求項１乃至請求項５のいずれか１項に記載の画像記録装置である。
【００１９】
この請求項６に記載の発明によれば、記録材料排出口と記録材料集積部の斜面との間に段差を設けることで、記録材料の集積量を容易に変更できる。
【００２０】
請求項７に記載の発明は、前記段差は、前記記録材料集積部の上部の斜面と、この斜面から上方の前記記録材料排出口の位置に延びるガイド部との間で構成したことを特徴とする請求項６に記載の画像記録装置である。
【００２１】
この請求項７に記載の発明によれば、段差を簡単かつ確実に設けることができる。
【００２２】
請求項８に記載の発明は、前記段差は、４０ｍｍ以下であることを特徴とする請求項５または請求項７に記載の画像記録装置である。
【００２３】
この請求項８に記載の発明によれば、適量の記録材料を集積することができる。
【００２４】
【発明の実施の形態】
以下、図面を参照して、この発明の画像記録装置の実施の形態について詳細に説明する。なお、この発明は、実施の形態に限定されるものではない。
【００２５】
図１乃至図３に画像記録装置としてカラープルーフ作成装置を示す。図１はカラープルーフ作成装置の正面図、図２はカラープルーフ作成装置の平面図、図３はカラープルーフ作成装置の排出部の拡大図である。
【００２６】
カラープルーフ作成装置１の装置本体２には、露光ユニット３及び現像処理ユニット４が備えられている。露光ユニット３の上部５には、感光材料である記録材料を収納したカートリッジがセット可能であり、また操作部６が設けられている。露光ユニット３では、画像信号を受けて記録材料にレーザービームで露光して画像の書き込みを行う。
【００２７】
現像処理ユニット４では、露光された記録材料を搬送して現像処理し、この処理された記録材料を乾燥して送出し、画像が記録されたシート状の記録材料Ｐが装置本体２の記録材料排出口１０から搬送力により押し出され、下方に配置された記録材料集積部２０に落下する。
【００２８】
この記録材料集積部２０は、図３に示すように、落下する記録材料Ｐが斜め状態で積層可能な斜面２０ａを有する。この斜面下部に先端にストッパー２０ｂを有する凹状曲面部２０ｃが一体形成され、さらに凹状曲面部２０ｃはＬ字形に屈曲した支持部２０ｄで所定高さに支持される。
【００２９】
また、記録材料集積部２０の上部は、斜面２０ａから上方の記録材料排出口１０の位置に延びるガイド部２０ｅと斜面２０ａとの間で段差Ｄが構成される。
【００３０】
この実施の形態の記録材料集積部２０は、樹脂等の屈曲可能な部材により、斜面２０ａ、ストッパー２０ｂ、凹状曲面部２０ｃ、支持部２０ｄ、ガイド部２０ｅが一体に形成され、図３の実線と点線で示すように設置スペースに応じて変形可能に構成される。
【００３１】
このように、記録材料集積部２０は落下する記録材料Ｐを斜め状態で積層可能な斜面２０ａを有し、しかも斜面２０ａが排出される記録材料Ｐの先端Ｐａを誘導する形状であり、さらに斜面下部に先端にストッパー２０ｂを有する凹状曲面部２０ｃが一体形成されてなる。
【００３２】
落下する記録材料Ｐは、図３に示すように、先端Ｐａが記録材料集積部２０の斜面２０ａに誘導されて円滑に落下していき、さらに凹状曲面部２０ｃに誘導され、ストッパー２０ｂに当接して集積される。このように記録材料Ｐが連続して集積されるが、記録材料Ｐが折れたり、傷が付いたりすることがなく、記録材料集積部２０に集積することができる。
【００３３】
この記録材料Ｐの集積は、記録材料排出口１０と記録材料集積部２０の斜面２０ａとの間に設けた段差Ｄによって規制され、段差Ｄ以上になると落下する記録材料Ｐが位置ずれを起こす。このように、記録材料排出口１０と記録材料集積部２０の斜面２０ａとの間に設けた段差Ｄにより記録材料Ｐの集積量が決定され、段差Ｄによって記録材料Ｐの集積量を容易に変更することができる。また、段差Ｄは、記録材料集積部２０の上部の斜面２０ａと、この斜面２０ａから上方の記録材料排出口１０の位置に延びるガイド部２０ｅとの間で簡単かつ確実に設けることができる。
【００３４】
この段差Ｄは、４０ｍｍ以下であることが好ましく、記録材料集積部２０に集積する記録材料Ｐが位置ずれを起こすことなく、適量の記録材料Ｐを集積することができる。
【００３５】
また、記録材料集積部２０は、図４に示すように、斜面２０ａ下部に先端にストッパー２０ｂを有する直線状斜面部２０ｆが一体形成されてなるように構成してもよい。このように、記録材料集積部２０は、斜面２０ａ下部に先端にストッパー２０ｂを有する直線状斜面部２０ｆが一体形成されてなることで、記録材料Ｐが記録材料集積部２０から外れることなく、整列させて集積することができる。
【００３６】
【発明の効果】
前記したように、請求項１に記載の発明では、記録材料集積部が落下する記録材料を斜め状態で積層可能な斜面を有することで、記録材料が折れたり、傷が付いたりすることがなく、集積することができる。
【００３７】
請求項２に記載の発明では、記録材料集積部は、斜面が排出される記録材料の先端を誘導する形状であり、記録材料が折れたり、傷が付いたりすることがなく、集積することができる。
【００３８】
請求項３に記載の発明では、記録材料集積部は、斜面下部に先端にストッパーを有する凹状曲面部が一体形成されてなることで、記録材料が記録材料集積部から外れることなく、整列させて集積することができる。
【００３９】
請求項４に記載の発明では、記録材料集積部の設置スペースを任意に変更することができる。
【００４０】
請求項５に記載の発明では、記録材料集積部は、斜面下部に先端にストッパーを有する直線状斜面部が一体形成されてなることで、記録材料が記録材料集積部から外れることなく、整列させて集積することができる。
【００４１】
請求項６に記載の発明では、記録材料排出口と記録材料集積部の斜面との間に段差を設けることで、記録材料の集積量を容易に変更できる。
【００４２】
請求項７に記載の発明では、段差を簡単かつ確実に設けることができる。
【００４３】
請求項８に記載の発明では、適量の記録材料を集積することができる。
【図面の簡単な説明】
【図１】カラープルーフ作成装置の正面図である。
【図２】カラープルーフ作成装置の平面図である。
【図３】カラープルーフ作成装置の排出部の拡大図である。
【図４】カラープルーフ作成装置の排出部の他の実施の形態の拡大図である。
【符号の説明】
１  カラープルーフ作成装置
２  装置本体
３  露光ユニット
４  現像処理ユニット
５  カートリッジ
６  操作部
１０  記録材料排出口
２０  記録材料集積部
【図１】
2004168438.tif 000003
【図２】
2004168438.tif 000004
【図３】
2004168438.tif 000005
【図４】
2004168438.tif 000006